(57)【要約】      （修正有）【課題】時短且つ省電力であり、保温効果が良好な省エネジャーを提供する。【解決手段】省エネジャーは、ハウジング１、ハウジング１内に位置する内釜２、内釜２の外部に設けられる加熱装置３、内釜２の上部に設けられる内釜蓋４、及びハウジング１内に取り付けられる制御回路を含み、内釜蓋４の外部には外蓋５が覆設されており、加熱装置３は、内釜２周りに設けられており、且つ、上から下に向かって、焼き・保温加熱装置７と主加熱装置８に分割されている。内釜蓋４の外部に外蓋５が覆設されており、内釜蓋４と外蓋５の間に保温室が形成されているため、内釜２の上部を保温可能である。且つ、加熱装置３が内釜２の底部と側面を取り囲んでいるため、内釜全体が３６０°において良好な保温及び加熱機能を発揮する。更に、制御回路によって焼き・保温加熱装置７と主加熱装置８の加熱時間と加熱温度を調節可能としている。そのため、かまど炊き効果が得られ、味がいっそう良好となる。【選択図】図１
0003228918.tif 000002
【実用新案登録請求の範囲】
【請求項１】
ハウジング（１）、ハウジング（１）内に位置する内釜（２）、内釜（２）の外部に設けられる加熱装置（３）、内釜（２）の上部に設けられる内釜蓋（４）、及びハウジング（１）内に取り付けられる制御回路を含む新型の省エネジャーにおいて、
前記内釜蓋（４）の外部には外蓋（５）が覆設されており、前記加熱装置（３）は、内釜（２）周りに設けられており、且つ、上から下に向かって、焼き・保温加熱装置（７）と主加熱装置（８）に分割されていることを特徴とする新型の省エネジャー。
【請求項２】
前記内釜蓋（４）と外蓋（５）の間には蒸気室（６）が設けられており、前記蒸気室（６）は、内釜蓋（４）に設けられた蒸気孔（１５）を介して内釜（２）の内部と連通していることを特徴とする請求項１に記載の新型の省エネジャー。
【請求項３】
前記加熱装置（３）は内釜（２）の底部と側面を取り囲んでいることを特徴とする請求項１に記載の新型の省エネジャー。
【請求項４】
前記内釜（２）は火山岩から形成されることを特徴とする請求項１に記載の新型の省エネジャー。
【請求項５】
前記加熱装置（３）は、ヒーター線、ヒーター線の内側に設けられる熱伝導マイカ（９）、及びヒーター線の外側に設けられる断熱セラミックス（１０）を含むことを特徴とする請求項１に記載の新型の省エネジャー。
【請求項６】
前記断熱セラミックス（１０）の外側は、更に、保温層ＩＩ（１３）とプラスチックカバー（１４）で順に覆われていることを特徴とする請求項５に記載の新型の省エネジャー。
【請求項７】
前記外蓋（５）の底部には保温層Ｉ（１１）が設けられていることを特徴とする請求項１に記載の新型の省エネジャー。
【請求項８】
前記ハウジング（１）の底部には換気扇（１２）が設けられていることを特徴とする請求項１に記載の新型の省エネジャー。
【考案の詳細な説明】
【技術分野】
【０００１】
本考案は炊事用具に関し、具体的には新型の省エネジャーに関する。
【背景技術】
【０００２】
生活水準の向上に伴い、家庭用の電気炊飯ジャーやスープジャーが非常に普及している。しかし、家庭用の電気炊飯ジャーやスープジャーの機能は食物の調理に限られており、省電力や時短を可能としつつ、安全且つ使用しやすいとのニーズを満たすには程遠い。また、食物の栄養面から見た場合、食物の栄養成分を維持可能とすることで、食物に人体に対するヘルスケア作用を持たせたいとの要求もある。
【考案の概要】
【考案が解決しようとする課題】
【０００３】
本考案は、時短且つ省電力であり、保温効果が良好な新型の省エネジャーを提供する。
【課題を解決するための手段】
【０００４】
本考案が技術的課題を解決するために用いる技術方案は以下である。
【０００５】
新型の省エネジャーであって、ハウジング、ハウジング内に位置する内釜、内釜の外部に設けられる加熱装置、内釜の上部に設けられる内釜蓋、及びハウジング内に取り付けられる制御回路を含み、前記内釜蓋の外部には外蓋が覆設されており、前記加熱装置は、内釜周りに設けられており、且つ、上から下に向かって、焼き・保温加熱装置と主加熱装置に分割されている。
【０００６】
本考案において、前記内釜蓋と外蓋の間には蒸気室が設けられており、前記蒸気室は、内釜蓋に設けられた蒸気孔を介して内釜の内部と連通している。
【０００７】
本考案において、前記加熱装置は内釜の底部と側面を取り囲んでいる。
【０００８】
本考案において、前記内釜は火山岩から形成される。
【０００９】
本考案において、前記加熱装置は、ヒーター線、ヒーター線の内側に設けられる熱伝導マイカ、及びヒーター線の外側に設けられる断熱セラミックスを含む。
【００１０】
本考案において、前記断熱セラミックスの外側は、更に、保温層ＩＩとプラスチックカバーで順に覆われている。
【００１１】
本考案において、前記外蓋の底部には保温層Ｉが設けられている。
【００１２】
本考案において、前記ハウジングの底部には換気扇が設けられている。
【考案の効果】
【００１３】
本考案によれば、以下の有益な効果が得られる。即ち、本考案では、内釜蓋の外部に外蓋が覆設されており、内釜蓋と外蓋の間に保温室が形成されているため、内釜の上部を保温可能である。且つ、加熱装置が内釜の底部と側面を取り囲んでいるため、内釜全体が３６０°において良好な保温及び加熱機能を発揮する。更に、前記加熱装置は上から下に向かって焼き・保温加熱装置と主加熱装置に分割されており、制御回路によって焼き・保温加熱装置と主加熱装置の加熱時間と加熱温度を調節可能としている。よって、かまど炊き効果が得られ、味がいっそう良好となる。更に、前記内釜は火山岩から形成されている。火山岩には微量の元素と遠赤外線電磁波が含有されているため、食物の栄養成分を維持可能である。且つ、食物の酸性・アルカリ性を調節してアルカリ性に傾けることで、食物に人体に対するヘルスケア作用を持たせる。
【００１４】
以下に、図面と実施形態を組み合わせて本考案につき更に説明する。
【図面の簡単な説明】
【００１５】
【図１】図１は、本実施例の構造を示す図である。
【考案を実施するための形態】
【００１６】
以下に、本発明創造の目的、特徴及び効果が十分に理解されるよう、実施例と図面を組み合わせて本発明創造の思想、具体的構造及び奏される技術的効果について明瞭簡潔に述べる。なお、本発明創造の各技術的特徴は、互いに矛盾しないことを前提に組み合わせ可能である。
【００１７】
本実施例は、ハウジング１、ハウジング１内に位置する内釜２、内釜２の外部に設けられる加熱装置３、内釜２の上部に設けられる内釜蓋４、及びハウジング１内に取り付けられる制御回路を含む新型の省エネジャーを提供する。前記内釜蓋４の外部には外蓋５が覆設されている。前記加熱装置３は内釜２周りに設けられており、且つ、上から下に向かって焼き・保温加熱装置７と主加熱装置８に分割されている。これらの装置は制御回路によって個別に制御される。また、前記内釜蓋４と外蓋５の間には蒸気室６が設けられている。前記蒸気室６は、内釜蓋４に設けられた蒸気孔１５を介して内釜２の内部と連通している。蒸気がより良好に保温されるよう、前記蒸気室６内の空間は１Ｌよりも小さくなっている。
【００１８】
好ましい実施形態として、前記加熱装置３は内釜２の底部と側面を取り囲んでいる。前記加熱装置３は、ヒーター線、ヒーター線の内側に設けられる熱伝導マイカ９、及びヒーター線の外側に設けられる断熱セラミックス１０を含む。更に、前記断熱セラミックス１０の外側は、保温層ＩＩ１３とプラスチックカバー１４で順に覆われている。このように、熱伝導材料と断熱材によりヒーター線を包囲することで熱効率がいっそう高まる。
【００１９】
本実施例において、前記内釜２と内釜蓋４は火山岩から形成されている。火山岩には微量の元素と遠赤外線電磁波が含有されているため、食物の栄養成分を維持可能となり、食物に人体に対するヘルスケア作用を持たせられる。また、前記外蓋５の底部には保温層Ｉ１１が設けられている。前記保温層Ｉ１１は保温作用を発揮するだけでなく、外蓋５の上部を制御回路が載置された装着空間から隔離する。前記内釜２と内釜蓋４の接触辺には、密封性を強化しつつ、内釜からの蒸気漏れによる加熱装置３への影響が防止されるよう、シリコーンパッキンが設けられている。
【００２０】
本実施例では、ハウジング１の過熱により使用者が負傷するとの事態を回避すべく、前記ハウジング１の底部に換気扇１２が設けられている。
【００２１】
以上は本考案における好ましい実施形態にすぎず、基本的に同様の手段によって本考案の目的を実現する技術方案であれば、いずれも本考案の保護の範囲に属する。
【図１】
0003228918.tif 000003